(57)【要約】      （修正有）【課題】撮影光路内にハーフミラーを配置したスルー画表示可能な撮影装置において、レリーズタイムラグを減少させるようにした撮影装置を提供する。【解決手段】可動ハーフミラーを撮影光路内の進入位置と撮影光路外の退避位置の間で移動可能とし、レリーズ釦の半押しに応じて、撮影準備動作を開始し、可動ハーフミラーを撮影光路中に進入させ（Ｓ６５）、測距センサによって測距動作を行い（Ｓ６９）、測距動作が終わると可動ハーフミラーを撮影光路外に退避させる（Ｓ７１）。撮影動作の開始（Ｓ７９）の前には可動ハーフミラーの退避動作は終了している。【選択図】図５
2007322983.tif 000002
【特許請求の範囲】
【請求項１】
撮影レンズを介して被写体光束を受光し、被写体像信号を出力する撮像手段と、
この撮像手段の光路内に進退可能であって、上記光路内においては上記被写体光束の一部を反射するハーフミラーと、
このハーフミラーを駆動する駆動手段と、
上記撮像手段から繰り返し出力される被写体像信号に基づいて、表示装置に動画を表示させるスルー画手段と、
上記ハーフミラーが上記光路内にあるときに、上記ハーフミラーにて反射された被写体光束を受光して、上記撮影レンズの焦点状態を検出する測距手段と、
を具備しており、
上記駆動手段は、上記測距手段による測距動作に連動して上記ハーフミラーを上記光路内に進入させることを特徴とする撮影装置。
【請求項２】
上記駆動手段は、上記測距手段による測距動作の終了に連動して上記ハーフミラーを上記光路外に退避させることを特徴とする請求項１に記載の撮影装置。
【請求項３】
上記ハーフミラーが上記光路内に進入したか否かにかかわらず、上記表示装置に表示している画像の明るさが略一定となるようにしたことを特徴とする請求項１に記載の撮影装置。
【請求項４】
上記撮像手段は、上記ハーフミラーが上記光路内に進入したことに連動して、上記ハーフミラーの透過率に応じて上記撮像ゲインを高くすることを特徴とする請求項１に記載の撮影装置。
【請求項５】
上記撮像手段は、上記ハーフミラーが上記光路から退避したことに連動して撮像ゲインを低くすることを特徴とする請求項４に記載の撮影装置。
【請求項６】
撮影準備動作を指令する撮影準備操作部材を有し、上記撮影準備動作の指令に応答して上記駆動手段は上記ハーフミラーの退避動作を実行することを特徴とする請求項１に記載の撮影装置。
【請求項７】
撮影レンズの光路内に進退可能であって、上記光路内において上記撮影レンズからの被写体光束の一部を反射するハーフミラーと、
このハーフミラーを上記撮影光路内と光路外に駆動する駆動手段と、
撮影準備動作の指令と、撮影動作の指令を行う操作部材と、
この操作部材によって上記撮影準備動作が指令されると、上記駆動手段によって上記ハーフミラーを上記光路内に駆動させ、上記撮影準備動作が指令されるより前に上記駆動手段によって上記ハーフミラーを上記光路内から退避させる制御手段と、  
を具備したことを特徴とする撮影装置。
【請求項８】
上記ハーフミラーにて反射された被写体光束を受光して、上記撮影レンズの焦点状態を検出する測距手段を具備し、上記制御手段は、上記ハーフミラーが上記光路内にあるときに、上記測距手段によって測距を行うことを特徴とする請求項７に記載の撮影装置。
【請求項９】
上記制御手段は、上記測距手段による測距動作が終了すると、上記ハーフミラーを上記光路から退避させることを特徴とする請求項８に記載の撮影装置。
【請求項１０】
上記撮影レンズを介して被写体光束を受光し、被写体像信号を出力する撮像手段と、この撮像手段から繰り返し出力される被写体像信号に基づいて、表示装置に動画を表示させるスルー画手段を具備したことを特徴とする請求項７に記載の撮影装置。
【請求項１１】
上記撮像手段からの上記被写体像信号を増幅する増幅手段を有し、上記ハーフミラーの上記撮影光路内の進退時に、上記撮像手段に到達する被写体光量の変化に応じてゲインを変更することを特徴とする請求項７に記載の撮影装置。
【発明の詳細な説明】
【技術分野】
【０００１】
本発明は、スルー画表示機能を有する撮影装置に関し、詳しくは、撮像素子で取得した画像を動画像として表示装置に表示する所謂スルー画表示機能（ライブビュー表示機能、電子ファインダ機能とも言う）を有する撮影装置に関する。
【背景技術】
【０００２】
従来のデジタルカメラ等の撮影装置においては、被写体像の観察は、光学式ファインダにより行っていたが、最近は、光学式ファインダをなくし、代わりに被写体画像データの記録用に設けられている撮像素子の出力を表示にも利用している。即ち、撮像素子で取得した画像を、被写体像観察用に液晶モニタ等の表示装置によって表示するスルー画像表示機能を有しているものが多くなってきている。
【０００３】
このようなスルー画表示機能を有するデジタルカメラとして、例えば、特許文献１には、可動ミラーを撮影光路から退避させるとともにフォーカルプレーンシャッタを全開状態にして被写体像を撮像素子に導き、それによって得られた被写体像を連続的に液晶モニタに表示するようにしたレンズ交換式カメラが開示されている。ただし、この特許文献１では、スルー画表示中に可動ミラーを撮影光路外に退避させるために、従来のカメラで一般的に採用されているＴＴＬ（Trough The Lens）位相差ＡＦ（Auto Focus）を行うことができないという問題がある。
【特許文献１】特開２００２−３６９０４２号公報
【０００４】
そこで、特許文献２には、可動ミラーをハーフミラーで構成し、撮影光学系を通過した被写体光束を撮像素子と位相差ＡＦセンサの両方に導くようにしたデジタルカメラが提案されている。この構成によれば、スルー画表示を行いながら位相差ＡＦも可能となり、前述の問題を解決することができる。
【特許文献２】特開２００２−６２０８号公報
【発明の開示】
【発明が解決しようとする課題】
【０００５】
しかしながら、特許文献２のように撮影光路内にハーフミラーを配置する構成をデジタルカメラに適用した場合には次のような問題が生ずるおそれがある。すなわち、撮影時に可動ハーフミラーを撮影光路から退避させて、撮影レンズからの被写体光束の全てを撮像素子に導くようにしているので、可動ハーフミラーを退避させるために動作時間が必要となり、このためレリーズタイムラグが増加してしまう。
【０００６】
本発明は、このような事情を鑑みてなされたものであり、レリーズタイムラグを減少させるようにした撮影装置を提供することを目的とする。
【課題を解決するための手段】
【０００７】
上記目的を達成するため第１の発明に係わる撮影装置は、撮影レンズを介して被写体光束を受光し、被写体像信号を出力する撮像手段と、この撮像手段の光路内に進退可能であって、上記光路内においては上記被写体光束の一部を反射するハーフミラーと、このハーフミラーを駆動する駆動手段と、上記撮像手段から繰り返し出力される被写体像信号に基づいて、表示装置に動画を表示させるスルー画手段と、上記ハーフミラーが上記光路内にあるときに、上記ハーフミラーにて反射された被写体光束を受光して、上記撮影レンズの焦点状態を検出する測距手段を具備しており、上記駆動手段は、上記測距手段による測距動作に連動して上記ハーフミラーを上記光路内に進入させる。
【０００８】
第２の発明に係わる撮影装置は、上記第１の発明において、上記駆動手段は、上記測距手段による測距動作の終了に連動して上記ハーフミラーを上記光路外に退避させる。
また、第３の発明に係わる撮影装置は、上記第１の発明において、上記ハーフミラーが上記光路内に進入したか否かにかかわらず、上記表示装置に表示している画像の明るさが略一定となるようにする。
さらに、第４の発明に係わる撮影装置は、上記第１の発明において、上記撮像手段は、上記ハーフミラーが上記光路内に進入したことに連動して、上記ハーフミラーの透過率に応じて上記撮像ゲインを高くする。
さらに、第５の発明に係わる撮影装置は、上記第４の発明において、上記撮像手段は、上記ハーフミラーが上記光路から退避したことに連動して撮像ゲインを低くする。
さらに、第６の発明に係わる撮影装置は、上記第１の発明において、撮影準備動作を指令する撮影準備操作部材を有し、上記撮影準備動作の指令に応答して上記駆動手段は上記ハーフミラーの退避動作を実行する。
【０００９】
上記目的を達成するため第７の発明に係わる撮影装置は、撮影レンズの光路内に進退可能であって、上記光路内において上記撮影レンズからの被写体光束の一部を反射するハーフミラーと、このハーフミラーを上記撮影光路内と光路外に駆動する駆動手段と、撮影準備動作の指令と、撮影動作の指令を行う操作部材と、この操作部材によって上記撮影準備動作が指令されると、上記駆動手段によって上記ハーフミラーを上記光路内に駆動させ、上記撮影準備動作が指令されるより前に上記駆動手段によって上記ハーフミラーを上記光路内から退避させる制御手段を具備する。
【００１０】
第８の発明に係わる撮影装置は、上記第７の発明において、上記ハーフミラーにて反射された被写体光束を受光して、上記撮影レンズの焦点状態を検出する測距手段を具備し、上記制御手段は、上記ハーフミラーが上記光路内にあるときに、上記測距手段によって測距を行う。
また、第９の発明に係わる撮影装置は、上記第８の発明において、上記制御手段は、上記測距手段による測距動作が終了すると、上記ハーフミラーを上記光路から退避させる。
さらに、第１０の発明に係わる撮影装置は、上記第７の発明において、上記撮影レンズを介して被写体光束を受光し、被写体像信号を出力する撮像手段と、この撮像手段から繰り返し出力される被写体像信号に基づいて、表示装置に動画を表示させるスルー画手段を具備する。
また、第１１の発明に係わる撮影装置は、上記第７の発明において、上記撮像手段からの上記被写体像信号を増幅する増幅手段を有し、上記ハーフミラーの上記撮影光路内の進退時に、上記撮像手段に到達する被写体光量の変化に応じてゲインを変更する。
【発明の効果】
【００１１】
本発明によれば、測距手段による測距動作に連動してハーフミラーを光路内に進入させる駆動手段を具備したので、レリーズタイムラグを減少させるようにした撮影装置を提供することができる。
【発明を実施するための最良の形態】
【００１２】
以下、図面に従って本発明を適用したデジタルカメラを用いて好ましい一実施形態について説明する。図１は、本発明の実施形態に係るデジタルカメラについて背面からみた外観斜視図である。このカメラは、カメラ本体２０と、交換レンズとしてのレンズ鏡筒１０とから構成されている。レンズ鏡筒１０はカメラ本体２０の前面のマウント開口部（不図示）に着脱自在となっている。マウント開口部を介してレンズ鏡筒１０内のレンズ１０１ａ、１０１ｂ等（図２参照）からなる撮影レンズによる被写体光束がカメラ本体２０内に導かれる。本実施形態では、レンズ鏡筒１０とカメラ本体２０は別体で構成され、通信接点３００（図２参照）を介して電気的に接続されている。また、カメラ本体２０に設けた着脱検知スイッチ２５９（図２参照）によって着脱状態を検出可能となっている。
【００１３】
カメラ本体２０の上面にはレリーズ釦２１、モードダイヤル２２、パワースイッチレバー２３、コントロールダイヤル２４等が配置されている。レリーズ釦２１は、撮影者が半押しするとオンする第１レリーズスイッチと、全押しするとオンする第２レリーズスイッチを有している。この第１レリーズスイッチ（以下、１Rと称する）のオンによりカメラは焦点検出、撮影レンズのピントあわせ、被写体輝度の測光等の撮影準備動作を行い、第２レリーズスイッチ（以下、２Rと称する）のオンにより撮像素子としてのＣＣＤ（Charge Coupled Devices）２２１（図２参照）の出力に基づいて被写体像の画像データの取り込みを行う撮影動作を実行する。
【００１４】
モードダイヤル２２は回転可能に構成された操作部材であり、モードダイヤル２２上に設けられた撮影モードを表す絵表示または記号に指標に合致させることにより、フルオート撮影モード（ＡＵＴＯ）、プログラム撮影モード（Ｐ）、絞り優先撮影モード（Ａ）、シャッタスピード優先撮影モード（Ｓ）、マニュアル撮影モード（Ｍ）、ポートレート撮影モード、風景撮影モード、マクロ撮影モード、スポーツ撮影モード、夜景撮影モード等の各撮影モードを選択することができる。パワースイッチレバー２３はデジタルカメラの電源のオン・オフを行うための操作部材であり、オン・オフの２つの位置に回動可能に構成されている。コントロールダイヤル２４は回転可能に構成された操作部材であり、情報表示画面等において、コントロールダイヤル２４の回転操作により所望の設定値やモード等を選択することができる。
【００１５】
カメラ本体２０の背面には、背面液晶モニタ２６、再生釦２７、メニュー釦２８、十字釦３０、OK釦３１、ファインダ接眼部３３が配置されている。背面液晶モニタ２６は、被写体像を観察用にスルー画として表示したり、撮影済みの被写体像を再生表示したり、カメラ情報やメニューを表示するための表示装置である。これらの表示を行うことができるものであれば、液晶に限らない。なお、カメラ本体２０に対して角度を自在に変更できるよう構成しても良い。ファインダ接眼部３３は、被写体像を観察するための接眼窓であり、内部には後述するファインダ内液晶モニタ２９が配置されており、このファインダ接眼部３３を通じて被写体像を観察可能となっている。再生釦２７は、撮影後に記録した被写体画像を背面液晶モニタ２６に表示させることを指示するための操作釦である。再生釦２７の操作に応じて、後述するＳＤＲＡＭ２３８、または記録媒体２４５にＪＰＥＧ等の圧縮モードで記憶されている被写体の画像データが伸張された後、背面液晶モニタ２６に表示される。
【００１６】
十字釦３０は背面液晶モニタ２６上で、Ｘ方向とＹ方向の２次元方向にカーソルの移動を指示するための操作部材であり、また、記録媒体２４５に記録された被写体像を表示するにあたって、再生画像の選択にも使用する。なお、アップ、ダウン、左、右用の４つの釦を設ける以外にも、タッチスイッチのように２次元上で操作方向を検出できるスイッチ等の２次元方向に操作できるスイッチに置き換えることも可能である。ＯＫ釦３１は、十字釦３０やコントロールダイヤル２４等によって選択された各種項目を確定するための操作部材である。メニュー釦２８は、このデジタルカメラの各種モードを設定するためのメニューモードに切換えるための釦であり、このメニュー釦２８の操作によってメニューモードを選択すると、背面液晶モニタ２６にメニュー画面が表示される。メニュー画面は複数の階層構造となっており、十字釦３０で各種項目を選択し、ＯＫ釦３１の操作により選択を決定する。
【００１７】
これらのレリーズ釦２１、パワースイッチレバー２３、再生釦２７、メニュー釦２８、十字釦３０、ＯＫ釦３１はいずれもオン・オフスイッチと連動している。これらのオン・オフスイッチに連動する操作釦と、モードダイヤル２２、コントロールダイヤル２４等の操作部材の操作に応じて発生する信号がＡＳＩＣ(Application Specific Integrated Circuit  特定用途向け集積回路)２６２内のスイッチ検出回路２５３（図２参照）に送信される。
【００１８】
次に、図２を用いて、デジタルカメラの電気系を主とする全体構成を説明する。  
レンズ鏡筒１０の内部には、焦点調節および焦点距離調節用のレンズ１０１ａ、１０１ｂと、開口量を調節するための絞り１０３が配置されている。レンズ１０１ａおよびレンズ１０１ｂは光学系駆動機構１０７によって駆動され、絞り１０３は絞り駆動機構１０９によって駆動されるよう接続されている。光学系駆動機構１０７、絞り駆動機構１０９はそれぞれレンズＣＰＵ１１１に接続されており、このレンズＣＰＵ１１１は通信接点３００を介してカメラ本体２０に接続されている。レンズＣＰＵ１１１はレンズ鏡筒１０内の制御を行うものであり、光学系駆動機構１０７を制御してピント合わせや、ズーム駆動を行うとともに、絞り駆動機構１０９を制御して絞り値制御を行う。
【００１９】
カメラ本体２０内のミラーボックス内には、レンズ１０１ａ、１０１ｂを通過した光束の一部を透過する特性を有する可動の反射ミラー（便宜上、可動ハーフミラーという）２０１が配置されている。この可動ハーフミラー２０１は、可動ミラー駆動機構２１５によって駆動され、回動軸２０１ａを中心に紙面垂直方向の軸に沿って回動可能である。可動ハーフミラー２０１がレンズ１０１ａ、１０１ｂの光路に対して４５度に傾いた位置（図２において実線の位置）にあるときには、被写体光束の一部（例えば、３０％）が反射され、カメラ本体２０の底部に設けられた測距センサ２１７に導かれる。また被写体光束の残り（７０％）は、可動ハーフミラー２０１を透過してＣＣＤ２２１の方向に導かれる。そして、可動ハーフミラー２０１がレンズ１０１ａ、１０１ｂの光路と略平行で、被写体光束を遮らない退避位置（図２において二点鎖線の位置）にあるときには、被写体光束の全部がＣＣＤ２２１に導かれる。この可動ハーフミラー２０１の構造については、図３を用いて後述する。なお、本実施形態においては、可動ハーフミラー２０１の回動中心は、ミラーボックス内の下側であったが、これに限らず、上側でも良く、また左右のいずれかに紙面に対して平行な回動中心にしても勿論構わない。また、本実施形態においては、可動ハーフミラーの反射率と透過率はそれぞれ３０％と７０％であるが、この比率に限られない。
【００２０】
カメラ本体２０内のミラーボックスの底部であって、可動ハーフミラー２０１によって反射された光束が導かれる位置に測距センサ２１７が配置されている。この測距センサ２１７はＴＴＬ位相差法によって測距するためのセンサである。測距センサ２１７の出力は測距処理回路２１９に送られる。測距処理回路２１９は、測距センサ２１７の出力に基づいて、レンズ１０１、１０１ｂによって結像される被写体像の焦点ズレ量を測定する。
【００２１】
可動ハーフミラー２０１の後方であって、レンズ１０１ａ、１０１ｂの光軸上であって、撮影光路上には、露光時間制御およびＣＣＤ２２１の遮光用のフォーカルプレーンタイプのシャッタ２０３が配置されており、このシャッタ２０３はシャッタ駆動機構２１３によって駆動制御される。シャッタ２０３の後方には防塵フィルタ２０５が配置されており、これは、カメラ本体２０のマウント開口部や本体内部で発生した塵埃がＣＣＤ２２１や光学素子に付着して塵埃の影が被写体像に写しこまれ、見苦しくなることを防止するためのフィルタである。防塵フィルタ２０５の周縁部の全周または一部に圧電素子２０７が固着され、この圧電素子２０７は防塵フィルタ駆動回路２１１に接続され、この回路によって駆動される。圧電素子２０７は防塵フィルタ駆動回路２１１によって、防塵フィルタ２０５が所定の超音波で振動するよう駆動され、その振動を利用して防塵フィルタ２０５の前面に付着した塵埃を除去する。なお、ＣＣＤ等の撮像素子自体もしくは撮像素子の前面側に配設された光学素子に付着した塵埃を除去できるものであれば、本実施形態のような超音波振動を利用したものに限らず、空気ポンプ等を利用して空気流によって吹き飛ばすものや、静電気を利用して塵埃を集塵して除去するもの等、種々の方法に適宜、置き換えても勿論構わない。
【００２２】
防塵フィルタ２０５の後方には、被写体光束から赤外光成分をカットするための赤外カットフィルタ２０９が配置され、その後方には被写体光束から高周波成分を取り除くための光学的ローバスフィルタ２１０が配置されている。そして、光学的ローパスフィルタ２１０の後方には、撮像素子としてのＣＣＤ２２１が配置されており、レンズ１０１ａ、１０１ｂによって結像される被写体像を電気信号に光電変換する。これらの防塵フィルタ２０５、赤外カットフィルタ２０９、光学的ローパスフィルタ２１０およびＣＣＤ２２１は、図示しない密封されたパッケージに一体に収納されており、塵埃がこのパッケージ内に侵入しないように構成されている。なお、本実施形態では撮像素子としてＣＣＤを用いているが、これに限らずＣＭＯＳ（Complementary Metal Oxide Semiconductor）等の二次元撮像素子を使用できることはいうまでもない。
【００２３】
ＣＣＤ２２１は撮像素子駆動回路２２３に接続され、入出力回路２３９からの制御信号によって駆動制御される。撮像素子駆動回路２２３によって、ＣＣＤ２２１から出力された光電アナログ信号が増幅され、アナログデジタル変換（ＡＤ変換）される。撮像素子駆動回路２２３は画像処理回路２２７に接続され、この画像処理回路２２７によってデジタル画像データのデジタル的増幅（デジタルゲイン調整処理）、色補正、ガンマ(γ)補正、コントラスト補正、白黒・カラーモード処理、スルー画像処理といった各種の画像処理がなされる。画像処理回路２２７は、データバス２６１に接続されている。このデータバス２６１には、画像処理回路２２７の他、後述するシーケンスコントローラ(以下、「ボディＣＰＵ」と称す)２２９、圧縮伸張回路２３１、ビデオ信号出力回路２３３、ＳＤＲＡＭ制御回路２３７、入出力回路２３９、通信回路２４１、記録媒体制御回路２４３、フラッシュメモリ制御回路２４７、スイッチ検出回路２５３が接続されている。
【００２４】
データバス２６１に接続されているボディＣＰＵ２２９は、このデジタルカメラの動作を制御するものである。またデータバス２６１に接続されている圧縮伸張回路２３１はＳＤＲＡＭ２３８に記憶された画像データをＪＰＥＧやＴＩＦＦで圧縮するための回路である。なお、画像圧縮はＪＰＥＧやＴＩＦＦに限らず、他の圧縮方法も適用できる。データバス２６１に接続されたビデオ信号出力回路２３３は液晶モニタ駆動回路２３５を介して背面液晶モニタ２６とファインダ内液晶モニタ２９（図中Ｆ内液晶モニタと略記）に接続される。ビデオ信号出力回路２３３は、ＳＤＲＡＭ２３８、または記録媒体２４５に記憶された画像データを、背面液晶モニタ２６および／またはファインダ内液晶モニタ２９に表示するためのビデオ信号に変換するための回路である。背面液晶モニタ２６はカメラ本体２０の背面に配置されるが、撮影者が観察できる位置であれば、背面に限らないし、また液晶に限らず他の表示装置でも構わない。ファインダ内液晶モニタ２９は、ファインダ接眼部３３を介して撮影者によって観察できる位置に配置されており、背面液晶モニタ２６と同様、液晶に限らず他の表示装置でも構わない。なお、被写体像の観察として背面液晶モニタ２６のみとし、ファインダ接眼部３３およびファインダ内液晶モニタ２９を省略することも可能である。
【００２５】
ＳＤＲＡＭ２３８は、ＳＤＲＡＭ制御回路２３７を介してデータバス２６１に接続されており、このＳＤＲＡＭ２３８は、画像処理回路２２７によって画像処理された画像データまたは圧縮伸張回路２３１によって圧縮された画像データを一時的に記憶するためのバッファメモリである。上述の防塵フィルタ駆動回路２１１、シャッタ駆動機構２１３、可動ミラー駆動機構２１５、測距処理回路２１９、撮像素子駆動回路２２３に接続される入出力回路２３９は、データバス２６１を介してボディＣＰＵ２２９等の各回路とデータの入出力を制御する。レンズＣＰＵ１１１と通信接点３００を介して接続された通信回路２４１は、データバス２６１に接続され、ボディＣＰＵ２２９等とのデータのやりとりや制御命令の通信を行う。
【００２６】
データバス２６１に接続された記録媒体制御回路２４３は、記録媒体２４５に接続され、この記録媒体２４５への画像データ等の記録の制御を行う。記録媒体２４５は、ｘDピクチャーカード(登録商標)、コンパクトフラッシュ(登録商標)、ＳＤメモリカード(登録商標)またはメモリスティック(登録商標)等の書換え可能な記録媒体のいずれかが装填可能となるように構成され、カメラ本体２０に対して着脱自在となっている。その他、マイクロドライブ（登録商標）などの様なハードディスクユニットや無線通信ユニットを接続可能に構成してもよい。
【００２７】
データバス２６１に接続されているフラッシュメモリ制御回路２４７は、フラッシュメモリ（Flash Memory）２４９に接続され、このフラッシュメモリ２４９は、カメラのフローを制御するためのプログラムが記憶されており、ボディＣＰＵ２２９はこのフラッシュメモリ２４９に記憶されたプログラムに従ってデジタルカメラの制御を行う。なお、フラッシュメモリ２４９は、電気的に書換可能な不揮発性メモリである。
【００２８】
カメラ本体２０やレンズ鏡筒１０のパワー供給の制御を行うためのパワースイッチレバー２３に連動してオン・オフするパワースイッチ２５７と、シャッタレリーズ釦２１の第1ストロークや第２ストロークを検出するスイッチ、再生モードを指示する再生釦２７に連動するスイッチ、背面液晶モニタ２６の画面でカーソルの動きを指示する十字釦３０に連動するスイッチ、撮影モードを指示するモードダイヤル２２に連動するスイッチ、選択された各モード等を決定するＯＫ釦３１に連動するＯＫスイッチ、着脱検知スイッチ２５９等の各種スイッチ２５５は、スイッチ検出回路２５３を介してデータバス２６１に接続されている。なお、着脱検知スイッチ２５９の構造については、図６を用いて後述する。
【００２９】
次に、図３を用いて、可動ハーフミラー２０１の駆動手段および退避手段について説明する。被写体光束の一部を透過し一部を反射するハーフミラー４０１はミラー枠４０３によって保持される。このミラー枠４０３は孔４０３ａに介挿される軸４１１の回りに回動自在であり、図２の回動軸２０１ａは、軸４１１の中心軸となる。カメラ本体２０に固定されたピン４０９とミラー枠４０３に植設された駆動ピン４０５の間には開きバネ４０７の両端がそれぞれ係合しており、この開きバネ４０７のコイル部分は軸４１１に巻装されている。この開きバネ４０７のバネ力によって、ミラー枠４０３は図中反時計方向（矢印Ａ方向）に付勢力を受けている。駆動ピン４０５と係止レバー４１３の一端が係合しており、この係止レバー４１３の他端に植設されたカムピン４１５はミラー用カム４１７に係接している。
【００３０】
係止レバー４１３は回動中心が不図示のミラーボックスに軸支されており、駆動ピン４０５を介して開きバネ４０７のバネ力によって図中反時計方向（矢印Ｂ方向）に付勢力を受けている。よって、係止レバー４１３のカムピン４１５がミラー用カム４１７のカム面に圧接している。ミラー用カム４１７のカム面は回転中心からの半径方向の長さが変化するように形成されている。すなわち、カム面上の係止位置４１７ａでは回転中心からの距離が長くなるように形成され、係止解除位置４１７ｂでは係止位置４１７ａに比して回転中心からの距離が短くなるように形成されている。そして図中反時計回り方向に係止位置４１７ａから係止解除位置４１７ｂへと段差４１７ｃをもってカム面が形成され、係止解除位置４１７ｂから係止位置４１７ａへと滑らかに変位するようにカム面が形成される。
【００３１】
ミラー用カム４１７の係止位置４１７ａがカムピン４１５と当接する位置にあるとき、係止レバー４１３はミラー用カム４１７により矢印Ｂ方向の回動が規制されていることから、ミラー枠４０３を反射位置に保持する。この状態から、段差４１７ｃを経て係止解除位置４１７ｂがカムピン４１５と当接する位置へとミラー用カム４１７を図中時計回りに回動させると、係止レバー４１３の矢印Ｂ方向への回動が可能となる。よって開きバネ４０７の付勢力により、ミラー枠４０３が矢印Ａ方向へと回動して退避位置へと変位する。なお、ミラー用カム４１７は図示しないモータによって回転駆動される。
【００３２】
このように可動ハーフミラー２０１を撮影光路内の反射位置（図３中実線で示す位置）へと駆動させる駆動手段は、ミラー用カム４１７、係止レバー４１３などを含む。また可動ハーフミラー２０１を撮影光路外の退避位置（図３中二点鎖線で示す位置）へと駆動する退避手段は、開きバネ４０７を含んでいる。なお、駆動手段や退避手段は、このような構成に限らず、可動ハーフミラー２０１を駆動できれば他の構成でも良い。
【００３３】
このように可動ハーフミラー２０１は構成されているので、図示しないモータにより、カムピン４１５が係止解除位置４１７ｂに接する位置に駆動されたときには、ミラー枠４０３および係止レバー４１３が開きバネ４０７の付勢力によって、矢印Ｂ方向に回動し、ミラー枠４０３は、図中、二点鎖線のように退避位置となる。この状態で、モータによってミラー用カム４１７を回動させ係止位置４１７ａがカムピン４１５と接する位置になると、係止レバー４１３は時計方向（矢印Ｂ方向と逆方向）に回動され、開きバネ４０７の付勢力に抗して駆動ピン４０５を介しミラー枠４０３を時計方向（矢印Ａ方向と逆方向）に回動させ、図中、実線の如き反射位置に位置させる。
【００３４】
図６は、カメラ本体２０とレンズ鏡筒１０の着脱状態を検出する着脱検知スイッチ２５９の構成を示すブロック図である。カメラ本体２０のレンズ鏡筒１０を装着するマウント部に設けられた連動ピン１３７は、押圧バネ１３８によってカメラ本体２０から突出する方向に付勢されている。この連動ピン１３７のカメラ本体側の一端はレンズ着脱スイッチ１３９に接触しており、このレンズ着脱スイッチ１３９は開放方向にバネ付勢されている。符号１３１は、レンズ鏡筒１０のレンズ側マウント部である。
【００３５】
このように着脱検知スイッチ２５９は構成されているので、カメラ本体２０にレンズ鏡筒１０が装着されているときは、図６（Ａ）に示すように、連動ピン１３７はレンズ側マウント部１３１によって、図面左方に押し込まれ、レンズ着脱スイッチ１３９はオン、すなわち着脱検知スイッチ２５９はオンとなる。一方、レンズ鏡筒１０がカメラ本体から外されると、図６（Ｂ）に示すように、連動ピン１３７は押圧バネ１３８の付勢力によって、図面右方に突出するので、レンズ着脱スイッチ１３９はオフ、すなわち着脱検知スイッチ２５９はオフとなる。なお、レンズ鏡筒１０の着脱状態の検出は、本実施形態のように機械的検知スイッチに限らず、例えば、フォトセンサを用いた光電検出スイッチでも良く、またレンズＣＰＵ１１１との通信による方法や、レンズ鏡筒１０と接する二接点の通電状態の検出など種々の方法がある。
【００３６】
次に、本発明の一実施形態におけるデジタルカメラの動作について図４および図５に示すフローチャートを用いて説明する。図４に示すパワーオンリセットのフローに入ると、カメラ本体２０のパワースイッチ２５７がオンとなったかを判定する（Ｓ１）。判定の結果、パワースイッチ２５７がオフの場合には、ステップＳ５に進み、低消費電力の状態であるスリープ状態となる。このスリープ状態ではパワースイッチ２５７がオンとなった場合のみに割り込み処理を行い、ステップＳ７以下においてパワースイッチオンのための処理を行う。パワースイッチがオンとなるまでは、パワースイッチ割り込み処理以外の動作を停止し、電源電池の消耗を防止する。ステップＳ１において、パワースイッチ２５７がオンであった場合には、ステップＳ５に進み、着脱スイッチ２５９がオフか否かを判定する。前述したように着脱検知スイッチ２５９は、レンズ鏡筒１０がカメラ本体２０から外されると、オフとなるスイッチである。オフであった場合、すなわちレンズ鏡筒１０が離脱していた場合には、後述するステップＳ５１に進む。これは、レンズ鏡筒１０が離脱している状態でカメラ本体２０のパワースイッチレバー２３が操作され、パワーオンとなった場合に、レンズ離脱時と同様な処理をするためである。ステップＳ３において、着脱スイッチ２５９がオンであった場合には、ステップＳ７以下に進み、パワースイッチオンのための処理を行う。
【００３７】
ステップＳ７では、防塵フィルタ２０５における塵埃除去動作を行う。これは防塵フィルタ２０５に固着された圧電素子２０７に防塵フィルタ駆動回路２１１から駆動電圧を印加し、前述したように超音波によって塵埃等を除去する動作である。
【００３８】
続いて、シャッタ駆動回路２１３によってシャッタ２０３の開放動作を行う（Ｓ９）。可動ハーフミラー２０１は退避位置にあるので、シャッタ２０３を開放することにより、被写体光束はシャッタ２０３によって遮られず、ＣＣＤ２２１上に被写体像が結像される。このＣＣＤ２２１によって撮像された画像データを用いて背面液晶モニタ２６に被写体像を動画表示するスルー画表示の開始を指示する（Ｓ１１）。なお、スルー画表示動作の制御はこの開始指示を受けて画像処理回路２２７にて行われる。
【００３９】
次に、モードダイヤル２２等によって設定された撮影モードや、ＩＳＯ感度、マニュアル設定されたシャッタ速度や絞り値等の情報があればそれらの撮影条件の読み込みを行う（Ｓ１３）。そして、ＣＣＤ２２１からの出力に基づいて被写体輝度を求め、露光量を演算し、この露光量を用いて撮影モード・撮影条件に従ってシャッタ速度や絞り値等の露光制御値の演算を行う（Ｓ１５）。また、測光値や露光量等を用い、スルー画表示設定を行う（Ｓ１７）。このステップでは、ＣＣＤ２２１の駆動にあたっての電子シャッタスピードと感度の条件設定を行うために、ステップＳ１５で求めた測光・露光量の演算結果、もしくは前回の表示画像を用いて、背面液晶モニタ２６および／またはファインダ内液晶２９に適切な明るさ（明度）の像を表示するための演算と設定を行う。
【００４０】
次に、ステップＳ１９に進み、再生モードか否かの判定を行う。この再生モードは、再生釦２７が操作された際に、記録媒体２４５に記録された静止画データを読み出して背面液晶モニタ２６および／またはファインダ内液晶２９に表示するモードである。判定の結果、再生モードが設定された場合には、ステップＳ３１に進み、画像処理回路２２７に対してスルー画表示を停止するよう指示する。そのあと、シャッタ２０３の閉じ動作を行ってから（Ｓ３３）、記録媒体２４５に記録されている静止画データを読出し、圧縮伸張回路２３１にて画像データを伸張し、ビデオ信号出力回路２３３および液晶モニタ駆動回路２３５を介して、背面液晶モニタ２６および／またはファインダ内液晶２９に静止画を再生表示する（Ｓ３５）。再生動作中にレリーズ釦２１の半押し等、他の手動操作がなされた場合には、再生動作を終了してステップＳ７に戻り、前述の動作を繰り返す。
【００４１】
ステップＳ１９に戻り、再生モードが設定されていなかった場合には、ステップＳ２１に進み、メニューモードが設定されているか否かを判定する。これは、メニュー釦２８が操作され、メニューモードが設定されているか否かを判定する。判定の結果、メニューモードが設定されていた場合には、再生モードが設定されていた場合と同様に、スルー画停止指示が出力され（Ｓ３７）、シャッタ２０３に閉じ指令を出力する（Ｓ３９）。この後、メニュー設定動作を行う（Ｓ４１）。メニュー設定動作によって、ホワイトバランス、ＩＳＯ感度設定、ドライブモードの設定等、各種の設定動作を行うことができる。メニュー設定動作が終了すると、ステップＳ７に戻り、前述の動作を繰り返す。
【００４２】
ステップＳ２１に戻り、判定の結果、メニューモードが設定されていなかった場合には、ステップＳ２３に進み、レリーズ釦２１が半押しされたか、すなわち１Ｒスイッチがオンか否かの判定を行う。判定の結果、１Ｒがオンであった場合には、ステップＳ４３に進み、撮影準備と撮影を行う撮影動作のサブルーチンを実行する。このサブルーチンの詳細は図５を用いて後述する。撮影動作のサブルーチンが終了すると、ステップＳ７に戻り、前述のステップを繰り返す。
【００４３】
ステップＳ２３に戻り、判定の結果、１Ｒスイッチがオフであった場合には、ステップＳ２５に進み、ステップＳ２と同様に、着脱検知スイッチ２５９がオフか否かを判定する。レンズ鏡筒１０が離脱されると、再生モードにおけるステップＳ３１およびＳ３３と同様に、スルー画停止指示を出力し（Ｓ４５）、シャッタ２０３の閉じ動作を行う（Ｓ４７）。
【００４４】
シャッタ２０３の閉じ動作が終わると、またはステップＳ２で着脱検知スイッチ２５９がオフであると判定された場合（すなわち、レンズ鏡筒１０が離脱している場合）には、ステップＳ５１に進み、着脱検知スイッチ２５９がオンか否かを判定する。ステップＳ２５において、レンズ鏡筒１０が離脱されたことを検出した後、レンズ鏡筒１０が再び装着されたか否かを判定するものである。着脱スイッチ２５９がオンであった場合、すなわち、レンズ鏡筒１０が装着されている場合には、ステップＳ７に戻り、前述のステップを繰り返す。
【００４５】
着脱検知スイッチ２５９がオフであった場合には、ステップＳ５３に進み、パワースイッチ２５７がオンか否かを判定する。レンズ鏡筒１０が離脱され、パワースイッチ２５７がオンの場合には、各種操作釦が操作されても、マウント開口部が開放のままなので、誤動作防止の観点から、カメラ動作を行わないようにしている。そのため、ステップＳ５１にてレンズ鏡筒１０の装着状態と、ステップＳ５３においてパワースイッチレバー２３の操作状態の判定を繰り返し行う待機状態となる。ステップＳ５３において、パワースイッチ２５７がオフと判定されると、ステップＳ５に戻り、スリープ状態になる。なお、ステップＳ５１において、レンズ鏡筒１０が離脱されたままであることを検出した場合に、ステップＳ５３の判定を省略して、ステップＳ５に進みスリープ状態としてもよく、また、ステップＳ９に進み、各種操作釦による操作に基づく動作を行う等の変形は可能である。
【００４６】
ステップＳ２５に戻り、判定の結果、着脱検知スイッチ２５９がオン、すなわちレンズ鏡筒１０がカメラ本体に装着されていた場合には、ステップＳ２７に進み、パワースイッチ２５７がオンか否かを判定する。判定の結果、オンであった場合には、ステップＳ１３に戻り、前述のステップを繰り返す。ステップＳ１１において、スルー画表示が開始された後、ステップＳ１９以降において各種操作釦等が操作されない限り、可動ハーフミラー２０１を透過した被写体光束は、シャッタ２０３によって妨げられないので、ＣＣＤ２２１上に被写体像が結像し、このＣＣＤ２２１によって撮像された画像データが背面液晶モニタ２６および／またはファインダ内液晶２９に動画像としてスルー画表示される。ステップＳ２７において、パワースイッチ２５７がオフと判定された場合には、ステップＳ３１、Ｓ３３と同様に、画像処理回路２２７に対してスルー画表示を停止するよう指示し（Ｓ２８）、シャッタ２０３の閉じ動作を行う（Ｓ２９）。この後、前述のステップＳ４９と同様にして、可動ハーフミラー２０１の退避動作を行った後（Ｓ３０）、ステップＳ５に戻りスリープ状態となる。
【００４７】
次に、ステップＳ４３の撮影動作のサブルーチンについて図５を用いて説明する。このサブルーチンは前述したように、レリーズ釦２１の半押しがなされると実行される。まず、可動ハーフミラー２０１を撮影レンズ（レンズ１０１ａ、１０１ｂ）の光路中に進入させる（Ｓ６５）。これは、前述したように、モータを駆動してミラー用カム４１７を回動させ、開きバネ４０７の付勢力に抗して、カム面によって係止レバー４１３を時計方向に回動させ、ミラー枠４０３を撮影レンズの光路中に介挿させる。続いて、ＣＣＤ２２１の出力の撮像ゲインを増加補正する（Ｓ６７）。これは撮影レンズの光路中に可動ハーフミラー２０１が介挿されることにより、光量が減少し、このため背面液晶モニタ２６および／またはファインダ内液晶２９における表示画面が暗くなってしまうことを補償するためである。この撮像ゲインの補正は、可動ハーフミラー２０１の透過率に応じて撮像ゲインを高くなるようにし、画像処理回路２２７において行う。例えば、ハーフミラーの透過率が５０％であれば、ＣＣＤ２２１に達する光量が半減するので、撮像ゲインを１段分高くすれば良い。
【００４８】
次に、測距・自動焦点調節を行う（Ｓ６９）。これは、ステップＳ６５において可動ハーフミラー２０１が光路中に介挿され、被写体光束の一部が測距センサ２１７に反射しているので、この被写体光束を用いて測距処理回路２１９やボディＣＰＵ２２９等はＴＴＬ位相差法によってレンズ１０１ａ、１０１ｂの焦点ズレ量を検出し、この検出された焦点ズレ量に基づいて、レンズＣＰＵ１１１を介して、光学系駆動機構１０７によってピント位置にレンズ１０１ａ、１０１ｂを駆動する。なお、測光・露光量演算については、ステップＳ１３において行っていることから、本サブルーチンにて行っていないが、レリーズ釦２１の半押しに応答して、ステップＳ１３と同様にしてＣＣＤ２２１の出力の基づいて行っても良いことは勿論である。また、可動ハーフミラー２０１からの反射光を受ける位置に、測光センサを配置し、この測光センサの出力を用いるようにしても勿論構わない。
【００４９】
次に、測距動作が終了したので、可動ハーフミラー２０１の退避動作を行う（Ｓ７１）。退避動作は、前述したように、モータを駆動してミラー用カム４１７を回動させ、開きバネ４０７の付勢力によってミラー枠４０３を撮影光路から退避した位置に回動させることにより行う（図２および図３の二点鎖線の位置）。また、可動ハーフミラー２０１が退避したことから、撮像ゲインの補正を行う（Ｓ７３）。前述したように、可動ハーフミラー２０１が光路中に介挿されたことにより、被写体光量が減少した分をステップＳ６７において補正した。しかし、ステップＳ７１において、可動ハーフミラー２０１が退避し、被写体光量が増加することから、このステップにおいて撮像ゲインを減少させるように補正を行う。この場合の補正量は、可動ハーフミラー２０１の透過率を考慮して決める。なお、ステップＳ６５とステップＳ７１において可動ハーフミラー２０１の進入・退避動作の間、スルー画像が乱れるようであれば、一時的にスルー画像を固定するようにしても良い。
【００５０】
次に、レリーズ釦２１の全押し操作がなされているか、すなわち２Ｒがオンか否かについて判定する（Ｓ７５）。判定の結果、オフであった場合には、ステップＳ７７に進み、１Ｒがオンか否かの判定を行う。レリーズ釦２１の半押し動作で、この撮影動作のサブルーチンにジャンプしてきて、レリーズ釦２１が半押しのままの場合には、このステップＳ７５とＳ７７で繰り返し判定を行う待機状態となる。レリーズ釦２１から手が離れ、１Ｒがオフとなると、パワーオンリセットのステップＳ９に戻る。
【００５１】
ステップＳ７５に戻り、判定の結果、２Ｒスイッチがオンであった場合、すなわちレリーズ釦２１が全押しされた場合には、静止画像取得のための撮像動作に移る。まず、ステップＳ７９において、画像処理回路２２７に対してスルー画停止の指示を出力する。これは静止画像取得にあたって、可動ハーフミラー２０１の退避位置への移動動作、シャッタ２０３の開閉動作等により、ＣＣＤ２２１に入射する被写体像に乱れが生じ、背面液晶モニタ２６および／またはファインダ内液晶２９においてスルー画像が見苦しくなることを防止するためである。
【００５２】
続いて、設定絞り値またはステップＳ１５で演算された絞り値まで絞り１０３の絞込み動作を、レンズＣＰＵ１１１を介し絞り駆動機構１０９によって行う。絞込み動作が終わると、次にＣＣＤ２２１による露光動作を行う（Ｓ８５）。すなわち、可動ハーフミラー２０１は退避位置に移動していることから、レンズ１０１ａ、１０１ｂを通過した被写体光束の全部が、ＣＣＤ２２１上で結像している。この状態でＣＣＤ２２１の電子シャッタのリセットを解除し、被写体像の光電変換電流の電荷蓄積を開始する。予め手動設定若しくはステップＳ７３で設定された露光時間が経過すると、ＣＣＤ２２１の電子シャッタは光電変換信号の電荷蓄積を停止する。なお、ステップＳ８５の露光動作において、ＣＣＤ２２１の電子シャッタによって露光時間を制御していたが、これに限らず、シャッタ２０３によっても露光時間を制御することができる。この場合には、露光動作の開始前に、一旦、シャッタ２０３の先幕・後幕を初期位置に移動させることが必要となる。
【００５３】
続いて、シャッタ２０３の閉じ動作を行い、（Ｓ８７）、絞り１０３の開放動作の指示をレンズＣＰＵ１１１に出力する（Ｓ８９）。また、ＣＣＤ２２１で電荷蓄積された画像信号の読み出しを行い（Ｓ９１）、画像処理回路２２７等にて画像処理を行う（Ｓ９３）。圧縮伸張回路２３１において信号圧縮等の処理を行った後、記録媒体２４５に画像データの記録を行う（Ｓ９５）。画像データの記録が終わると、ステップＳ９７において、１Ｒスイッチがオンであるか、すなわちレリーズ釦２１が半押し状態であるか否かを判定する。１Ｒスイッチがオフとなると、パワーオンリセットのルーチンに戻る。
【００５４】
本実施形態のパワーオンリセットと撮影動作のルーチンにおいては、通常状態では、可動ハーフミラー２０１は撮影レンズ（レンズ１０１ａ、１０１ｂ）の光路から退避したままである。パワーオン動作に入ると、シャッタ２０３をステップ９において開放し、ＣＣＤ２２１上に直接被写体像を結像させていることから、ＣＣＤ２２１からの被写体像信号を用いて背面液晶モニタ２６等にスルー画表示を行っており、被写体像の観察を行うことができる。この状態で、測距が必要な場合には、可動ハーフミラー２０１を光路に進入させ、被写体光束を測距センサ２１７に導くようにしている。そして測距が終了すると、可動ハーフミラー２０１を光路から退避させているので、ステップＳ７９以下の撮影動作前には、可動ハーフミラー２０１を退避させることに起因するシャッタタイムラグをなくすることができる。
【００５５】
本実施形態において、通常のスルー画表示の際には、可動ハーフミラー２０１は退避しているため、可動ハーフミラー２０１における透過光量の減少がなく、背面液晶モニタ２６等の表示装置での表示を明るくすることができる。また、撮影時での静止画の取得にあたっても可動ハーフミラー２０１は撮影光路から退避しているので、被写体光量を増加させることができ、高速シャッタ速度での撮影が可能となる。
【００５６】
本実施形態では、スルー画表示中に可動ハーフミラー２０１を光路中に進入させた場合には（Ｓ６５）、可動ハーフミラー２０１を透過する際に被写体光量が減少することから、撮像ゲインの補正を行うようにしている。このため、スルー画表示の画面の明るさを一定に保つことができる。また、同様に、可動ハーフミラー２０１が光路から退避する場合にも、撮像ゲインの補正を行っている。さらに、このゲイン補正は、可動ハーフミラー２０１の透過率を考慮した補正量としているので、正確な補正を行うことができる。また、撮像ゲインを調整する以外に、撮像した画像の明るさを画像処理回路２２７にて補正したり、単に液晶モニタ２６の表示条件を変更する等の工夫で、スルー画表示の画面の明るさが略一定になるように調整しても良い。
【００５７】
本実施形態では、通常時には、可動ハーフミラー２０１を撮影レンズの光路から退避しているので、レンズ鏡筒１０が外され、マウント部が開口状態となった際に、ユーザ等がマウント開口部からクリーニング用具等を挿入しようとしても、可動ハーフミラー２０１は退避状態となっているので、可動ハーフミラー２０１が破損したり、指紋をつけられたりするおそれがない。
【００５８】
なお、本実施形態では、カメラの測距動作の開始をレリーズ釦２１の半押しで行うようにしていた。変形例として、連続測距モードが選択された場合には、所定時間間隔でステップＳ６５からステップＳ７３を繰り返すようにすればよい。この場合、レリーズ釦２１の半押し動作がなされている間のみ連続測距を行うようにしても良い。
【００５９】
また、本実施形態においては、撮像素子としてのＣＣＤ２２１は可動ハーフミラー２０１の透過光を受光し、測距センサ２１７は可動ハーフミラー２０１の反射光を受光していたが、これとは逆にＣＣＤ２２１は反射光を、測距センサ２１７は透過光を受光するように構成しても良い。
【００６０】
本実施形態においては、本発明を一般的なデジタルカメラに適用したものであったが、これに限らず、携帯等の各種装置内の撮影装置でもよく、またベローズ、エクステンションチューブ等を装着するものでも良く、さらに顕微鏡、双眼鏡等の各種装置に取り付けられる専用カメラにも適用できることは勿論である。
【図面の簡単な説明】
【００６１】
【図１】本発明の一実施形態におけるデジタルカメラを背面から見た外観斜視図である。
【図２】本発明を適用した一実施形態におけるデジタルカメラの電気系の全体構成を示すブロック図である。
【図３】本発明の一実施形態における可動ハーフミラーの部品構成を示す斜視図である。
【図４】本発明の一実施形態におけるパワーオンリセットの動作を示すフローチャートである。
【図５】本発明の一実施形態における撮影動作のフローチャートである。
【図６】本発明の一実施形態における着脱検知スイッチの構成を示す図である。
【符号の説明】
【００６２】
１０  レンズ鏡筒
２０  カメラ本体
２１  レリーズ釦
２３  パワースイッチレバー
２６  背面液晶モニタ
２９  ファインダ内液晶モニタ
３３  ファインダ接眼部
１０１ａ、１０１ｂ  レンズ
１０３  絞り
１１１  レンズＣＰＵ
２０１  可動ハーフミラー
２０３  シャッタ
２０５  防塵フィルタ
２０７  圧電素子
２０９  赤外カットフィルタ
２１０  光学的ローパスフィルタ
２１５  可動ミラー駆動機構
２１７  測距センサ
２１９  測距処理回路
２２１  ＣＣＤ
２２７  画像処理回路
２２９  ボディＣＰＵ
２５３  スイッチ検出回路
２５５  各種スイッチ
２５７  パワースイッチ
２５９  着脱検知スイッチ
２６１  データバス
４０１  ハーフミラー
４０３  ミラー枠
【図３】
2007322983.tif 000003
【図１】
2007322983.tif 000004
【図２】
2007322983.tif 000005
【図４】
2007322983.tif 000006
【図５】
2007322983.tif 000007
【図６】
2007322983.tif 000008